(57)【要約】 【課題】採光と通風を確保しつつ、高さが意識されることによる上階での不安感や上階からの視線による下階での居住性の低下を解消する。【解決手段】本発明に係る床構造１は、梁２ａ，２ａ及びそれらに直交する梁２ｂ，２ｂで囲まれた水平構面に構築してあり、梁２ｂ，２ｂの対向側面に添うように梁２ａ，２ａに受け材３，３を架け渡すとともに、該該受け材に床材４を架け渡してなる。床材４は、幅がＷ、高さがＤの矩形断面をなし、互いに間隙ｄが形成されるように水平面に沿って複数並設してあるとともに、透光性を有するよう、ポリカーボネートで形成してある。【選択図】  図１
2013181295.tif 000002
【特許請求の範囲】
【請求項１】
透光性を有し矩形断面状をなす複数の床材を互いに間隙が形成されるように水平面に沿って並設するとともに、歩行時の滑り止めとなるように前記床材の天端に凹凸を形成したことを特徴とする床構造。
【請求項２】
前記間隙を４ｍｍ以上８ｍｍ以下とした請求項１記載の床構造。
【請求項３】
前記間隙による開口率を１２％以上２１％以下とした請求項１記載の床構造。
【請求項４】
前記床材をポリカーボネートで形成した請求項１又は請求項２記載の床構造。
【請求項５】
上階空間と屋外空間を隔てる外壁又は天井に窓が設けられてなる室内空間構造において、
請求項１乃至請求項４のいずれか一記載の床構造を、該床構造の間隙を介して前記上階空間がその下方に拡がる下階空間に連通されるように上階床の高さ位置に配置したことを特徴とする室内空間構造。
【発明の詳細な説明】
【技術分野】
【０００１】
本発明は、主として住宅に採用される床構造及びそれを用いた室内空間構造に関する。
【背景技術】
【０００２】
住宅においては、快適で安全な住環境を確保すべく、耐久性、耐震性、防火性、採光性、通風性など、さまざまな特性が要求されるが、採光や通風は、居住快適性に大きな影響を及ぼす。
【０００３】
ここで、吹抜け空間が従来から数多く採用されており、かかる住宅においては、上階の外壁に採光窓を設けることにより、該採光窓を介した自然採光を上階のみならず下階へも送り込むことができるとともに、吹抜け空間を介した上階と下階との空気の流れが形成されるため、自然通風に優れた住宅となり、居住快適性を大幅に高めることができる。
【０００４】
一方、吹抜け空間の場合、足場を設けない限り、上階の外壁に設けられた採光窓に寄り付くことができず、窓やカーテンの開閉操作あるいは清掃を行うことが困難となって日常生活に支障が生じる。
【０００５】
加えて、吹抜け空間を設けることで居住スペースが減少するため、小規模な住宅の場合には吹抜け空間を設けることがそもそも難しい。
【０００６】
かかる状況に鑑み、本出願人は、比較的小規模な住宅であっても居住スペースを確保しつつ、自然採光や建物内通風を十分に確保できるよう、透光性及び通気性を有する床パネルを用いた室内空間構造の研究開発を行った（特許文献１）。
【先行技術文献】
【特許文献】
【０００７】
【特許文献１】特開２００６−２６５９８７
【特許文献２】特開平９−３０２９５３
【特許文献３】特開平１０−３１１１５０
【特許文献４】特開平１１−６２２７９
【発明の概要】
【発明が解決しようとする課題】
【０００８】
特許文献１記載の室内空間構造によれば、床パネル上を歩いて採光窓近傍に寄り付くことができるため、採光窓の窓拭きやカーテン交換といったメンテナンスを容易に行うことができるとともに、床パネルが透光性を有するため、上階の採光窓から入射した自然光が床パネルを透過して下階へと降り注ぎ、下階での採光性が十分に確保され、さらには床パネルが通気性を併せ持つため、上階から下階あるいは下階から上階へと流れる空気の流れが形成され、建物内の通風性も同様に確保される。
【０００９】
しかしながら、特許文献１記載の発明においては、床パネルを市販のグレーチングパネルで構成してあるため、該パネルに形成された格子状の目開きが原因となり、上階では高さが意識されて居住者に不安感を与えるという問題や、下階では上方からの視線によって落ち着いた雰囲気が乱されるといった問題を生じていた。
【課題を解決するための手段】
【００１０】
本発明は、上述した事情を考慮してなされたもので、採光と通風を確保しつつ、高さが意識されることによる上階での不安感や上階からの視線による下階での居住性の低下を解消することが可能な床構造及びそれを用いた室内空間構造を提供することを目的とする。
【００１１】
上記目的を達成するため、本発明に係る床構造は請求項１に記載したように、透光性を有し矩形断面状をなす複数の床材を互いに間隙が形成されるように水平面に沿って並設するとともに、歩行時の滑り止めとなるように前記床材の天端に凹凸を形成したものである。
【００１２】
また、本発明に係る床構造は、前記間隙を４ｍｍ以上８ｍｍ以下としたものである。
【００１３】
また、本発明に係る床構造は、前記間隙による開口率を１２％以上２１％以下としたものである。
【００１４】
また、本発明に係る床構造は、前記床材をポリカーボネートで形成したものである。
【００１５】
また、本発明に係る室内空間構造は請求項５に記載したように、上階空間と屋外空間を隔てる外壁又は天井に窓が設けられてなる室内空間構造において、
請求項１乃至請求項４のいずれか一記載の床構造を、該床構造の間隙を介して前記上階空間がその下方に拡がる下階空間に連通されるように上階床の高さ位置に配置したものである。
【００１６】
床構造をグレーチングパネルで構成した場合、該パネルに形成された目開きを通しての視線が原因で上階では不安感を生じ、下階では落ち着いた雰囲気が阻害されることは上述した通りであるが、市販のグレーチングパネルでは、屋外使用が前提になるなどの関係上、開口率が５０％を上回るものがほとんどで、小さなものでも３０％を上回る。そのため、建物内の吹抜け空間を仕切るように設けた場合、視線の遮断はほとんど期待できない。
【００１７】
一方、本発明の目的にかなうグレーチングパネルを製作しようとすると、特注になってコスト高を避けられず、あるいは開口率が小さ過ぎるために製作自体が困難になることも予想される。
【００１８】
このような状況に鑑み、採光と通風を確保することが可能でかつ視線を遮断することができる構成をいかに合理的なコストで実現するかに着眼し研究開発を行った結果、上記発明をなすに至ったものである。
【００１９】
すなわち、本発明に係る床構造においては、透光性を有し矩形断面状をなす複数の床材を互いに間隙が形成されるように水平面に沿って並設する。
【００２０】
このようにすると、床構造の上方から進入する光のうち、隣り合う床材同士の間隙に進入した光はそのまま該間隙を介して下方へと進む一方、床材の天端に進入した光についても、床材自体が透光性を有するため、該床材の天端から入射して断面内を進んだ後、側面あるいは下面から断面外へと抜け、床構造の下方へと進む。
【００２１】
そのため、床材同士の間隙を大きくせずとも、換言すれば視線が遮断される程度の寸法であっても、十分な量の光が上方から下方へと送り込まれるとともに、該間隙を介した通風も同時に行われることとなり、かくして吹抜け空間を上下に仕切るように設置された場合においては、高さが意識されることによる上階での不安感や上階からの視線による下階での居住性の低下を解消することが可能となる。
【００２２】
加えて、市販されているグレーチングパネルでは、開口率ごとにそれぞれ製作しなければならなかったところ、本発明に係る床構造によれば、複数の床材を架け渡す際、それらの配置間隔を調整することで、床材同士の間隙を任意にかつ容易に設定することができるため、さまざまな居住者のニーズに対し、合理的なコストできめ細かな対応が可能となる。
【００２３】
また、床材の天端には、歩行時の滑り止めとなるように凹凸を形成してあるため、透光性材料にありがちな表面の平滑性に起因した滑りが生じる懸念はなく、歩行時の安全性も確保される。
【００２４】
床材同士の間隙は、視線の遮断と通風との兼ね合いで任意に設定することができるが、例えば２ｍｍ以上１０ｍｍ以下とするのが望ましく、さらには４ｍｍ以上８ｍｍ以下に設定するのが望ましい。４ｍｍ、特に２ｍｍを下回った場合、通風の阻害が懸念され、８ｍｍ、特に１０ｍｍを上回った場合には、床材断面の高さ寸法にもよるが、視線が遮断されない懸念が大きくなるとともに、文房具などの生活小物が下階に落下する懸念が生じるからである。
【００２５】
なお、上述の床材同士の間隙を開口率に換算して評価した場合、開口率を６％〜２４％とするのが望ましく、１２％〜２１％とするのがさらに望ましい。
【００２６】
床材は、透光性を有しかつ床構造材として機能し得る強度を持った任意の材料で形成することが可能であり、例えば、ポリカーボネートで形成することができる。
【００２７】
上述した本発明の床構造は任意の室内空間構造に採用することが可能であって、例えば上階に採光窓がない場合であっても、人工照明による光を下階に送り込むことができるため、例えば一階床下あるいは地階に設けられた書庫などの収納空間と一階との間に配置することにより、収納空間内の換気を図りつつ、収納空間専用の照明器具を設ける無駄を省くことも可能となる。
【００２８】
ここで、本発明に係る床構造を用いて上階空間と屋外空間を隔てる外壁又は天井に窓が設けられてなる室内空間構造を構成するとともに、該床構造をその間隙を介して上階空間がその下方に拡がる下階空間に連通されるように上階床の高さ位置に配置した場合においては、窓を介して上階空間に差し込んだ自然光が本発明の床構造を抜けて下方へと進むため、上階の窓による採光を下階でも利用することができるとともに、上階空間と下階空間との間で本発明の床構造を介した建物内換気も同時に行われるため、下階空間での居住性を各段に向上させることができる。
【００２９】
加えて、本発明の床構造における視線遮断作用により、高さが意識されることによる上階での不安感や上階からの視線による下階での居住性の低下を解消することが可能となる。
【図面の簡単な説明】
【００３０】
【図１】本実施形態に係る床構造１の鉛直断面図であり、(a)は床材４をそれらの材軸方向から見た図、(b)はＡ−Ａ線に沿った方向から見た図、(c)は詳細図。
【図２】本実施形態に係る床構造１の全体斜視図。
【図３】本実施形態に係る床構造１の作用を示した説明図。
【図４】本実施形態に係る室内空間構造４６の概略鉛直断面図。
【発明を実施するための形態】
【００３１】
以下、本発明に係る床構造及びそれを用いた室内空間構造の実施の形態について、添付図面を参照して説明する。なお、従来技術と実質的に同一の部品等については同一の符号を付してその説明を省略する。
【００３２】
図１は、本実施形態に係る床構造を示した鉛直断面図である。同図でわかるように、本実施形態に係る床構造１は、梁２ａ，２ａ及びそれらに直交する梁２ｂ，２ｂで囲まれた水平構面に構築してあり、梁２ｂ，２ｂの対向側面に添うように梁２ａ，２ａに受け材３，３を架け渡すとともに、該該受け材に床材４を架け渡してなる。
【００３３】
床材４は、幅がＷ、高さがＤの矩形断面をなし、互いに間隙ｄが形成されるように水平面に沿って複数並設してあるとともに、透光性を有するよう、ポリカーボネートで形成してあり、例えばＷを３０ｍｍ程度、Ｄを６０ｍｍ程度にすることができる。
【００３４】
また、床材４の天端には、歩行時の滑り止めとなるように凹凸を形成してある。凹凸は、例えば公知の粗面加工プロセスを床材４の天端に適宜施せばよい。
【００３５】
床材４は、接着剤やビス等を用いてそれらの端部を受け材３に固定すればよい。
【００３６】
一方、床材４同士の間隙ｄは、２ｍｍ以上１０ｍｍ以下とするのが望ましく、さらには４ｍｍ以上８ｍｍ以下に設定するのが望ましい。４ｍｍ、特に２ｍｍを下回った場合、通風の阻害が懸念され、８ｍｍ、特に１０ｍｍを上回った場合には、床材断面の高さ寸法にもよるが、視線が遮断されない懸念が大きくなるとともに、文房具などの生活小物が下階に落下する懸念が生じるからである。
【００３７】
具体的には、床材４同士の間隙ｄを６ｍｍ程度に設定することができる。
【００３８】
ここで、上述の間隙ｄを開口率に換算すると、Ｗが３０ｍｍの場合、２ｍｍ以上１０ｍｍ以下の間隙ｄは約６％〜２４％、４ｍｍ以上８ｍｍ以下の間隙ｄは、約１２％〜２１％となるので、開口率で評価するのであれば、６％〜２４％とするのが望ましく、１２％〜２１％とするのがさらに望ましい。
【００３９】
本実施形態に係る床構造１においては、透光性を有し矩形断面状をなす複数の床材４を互いに間隙ｄが形成されるように水平面に沿って並設してある。
【００４０】
このようにすると、図３(a)に示したように、床構造１の上方から進入する光のうち、隣り合う床材４，４同士の間隙ｄに進入した光は、そのまま該間隙を介して下方へと進む一方、床材４の天端に進入した光についても、床材４自体が透光性を有するため、該床材の天端から入射して断面内を進んだ後、側面あるいは下面から断面外へと抜け、床構造１の下方へと進む。
【００４１】
また、床構造１の上方の空間と下方の空間は同図(b)に示すように、床材４，４の間隙ｄを介して互いに連通され、該間隙を流れる空気によって建物内換気が確保される。
【００４２】
さらに、床材４，４の間隙ｄを介して上方あるいは下方を見通せる視線角度は図３(c)に示すように、鉛直軸線に対してそれぞれθであって、上記の例であれば、
θ＝ｔａｎ-1（６／６０）
＝ｔａｎ-1（０．１）
≒５．７゜
にとどまり、互いの視線はほとんど遮断されることがわかる。
【００４３】
図４は、上述した床構造１を用いて、上階空間４１と屋外空間４２を隔てる外壁４４に窓４５が設けられてなる室内空間構造４６を構成した例であって、床構造１を、その間隙を介して上階空間４１がその下方に拡がる下階空間４３に連通されるように上階床の高さ位置に配置してある。
【００４４】
以上説明したように、本実施形態に係る床構造１によれば、床材４自体を透光性材料で形成したことにより、床材４，４同士の間隙ｄを大きくせずとも、換言すれば視線が遮断される程度の寸法であっても、十分な量の光を上方から下方へと送り込むことができるとともに、該間隙を介した通風も同時に確保することができる。
【００４５】
そのため、本実施形態に係る室内空間構造４６によれば、窓４５を介して上階空間４１に差し込んだ自然光が床構造１を抜けて下方へと進むため、上階の窓４５による採光を下階でも利用することができるとともに、上階空間４１と下階空間４３との間で床構造１を介した建物内換気も同時に行われるため、下階空間４３での居住性を各段に向上させることができる。
【００４６】
加えて、床構造１における視線遮断作用により、高さが意識されることによる上階での不安感や上階からの視線による下階での居住性の低下を解消することも可能となる。
【００４７】
また、本実施形態に係る床構造１によれば、市販されているグレーチングパネルでは、開口率ごとにそれぞれ製作しなければならなかったところ、複数の床材４を架け渡す際、それらの配置間隔を調整することで、床材４，４同士の間隙ｄを任意にかつ容易に設定することができるため、視線遮断を最優先したい、視線をある程度遮断しながら通風も確保したい、通風を最優先したいなどのさまざまな居住者のニーズに対し、合理的なコストできめ細かな対応が可能となる。
【符号の説明】
【００４８】
１            床構造
４            床材
４１            上階空間
４２            屋外空間
４３            下階空間
４４            外壁
４５            窓
４６            室内空間構造
【図１】
2013181295.tif 000003
【図２】
2013181295.tif 000004
【図３】
2013181295.tif 000005
【図４】
2013181295.tif 000006